(57)【要約】【課題】  販売時に抽選を行い、景品を提供可能な自動販売機に関し、サーバと接続することにより、自動販売機で取り扱うことができない対象を景品として提供可能とするとともに、当該抽選に係るサーバの負担を軽減可能な自動販売機、サーバ及び景品抽選システムを提供することを目的とする。【解決手段】  自動販売機１において缶飲料が購入されると、景品抽選処理（Ｓ３）が実行される。景品抽選処理（Ｓ３）により特別当選すると、特別当選情報がサーバ８０に送信される。そして、サーバ８０では、特別景品を提供可能であるかを判断し、可能である場合に、当別当選表示表示信号を送信する。特別当選表示表示信号を受信した自動販売機１では、液晶ディスプレイ５に２次元コードを含む特別当選表示を表示する。特別当選した利用者が２次元コードを介して、自己を示す個人データを入力することで、特別景品を当該利用者に提供可能とする。【選択図】  図１
2006318227.tif 000002
【特許請求の範囲】
【請求項１】
商品を選択する商品選択手段と、
前記商品選択手段による選択と、当該商品に対する対価の投入に基づいて、商品を販売する販売制御手段と、を備える自動販売機において、
外部に設置されたサーバと接続し、双方向通信を行う通信手段と、
前記商品選択手段による商品の選択に基づいて抽選を行い、前記商品選択手段で選択された商品の搬出のみを行う第１抽選結果と、前記商品選択手段で選択された商品の搬出と共に、前記自動販売機で提供可能な通常景品を提供する第２抽選結果と、前記商品選択手段で選択された商品の搬出と共に、前記自動販売機外で提供される特別景品を提供する第３抽選結果と、の何れかの抽選結果に決定する抽選手段と、
前記抽選手段の抽選結果が第２抽選結果の場合には、前記通常景品を提供するとともに、前記抽選手段の抽選結果が第３抽選結果の場合には、前記通信手段により、前記特別景品を提供する特別景品提供信号を前記サーバに送信する景品制御手段と、を備えることを特徴とする自動販売機。
【請求項２】
前記請求項１に記載の自動販売機において、
前記抽選手段により、第３抽選結果に決定された場合には、第３抽選結果に当選した利用者を特定する利用者特定情報を前記サーバに入力するためのアドレス情報を報知する報知手段を有することを特徴とする自動販売機。
【請求項３】
前記請求項１又は２に記載の自動販売機と接続し、双方向通信を行うサーバ通信手段と、
前記サーバ通信手段により前記特別景品提供信号を受信すると、前記自動販売機に対し、前記アドレス情報を報知させる報知信号を送信する通信制御手段と、を有することを特徴とするサーバ。
【請求項４】
前記請求項１又は２に記載の自動販売機と、
前記自動販売機と接続し、双方向通信を行うサーバ通信手段と、
前記サーバ通信手段により前記特別景品提供信号を受信すると、前記自動販売機に対し、前記アドレス情報を報知させる報知信号を送信する通信制御手段と、を有するサーバと、を有することを特徴とする景品抽選システム。
【発明の詳細な説明】
【技術分野】
【０００１】
本発明は、販売時に抽選を行い、景品を提供可能な自動販売機に関し、サーバと接続することにより、自動販売機で取り扱うことができない対象を景品として提供可能とするとともに、当該抽選に係るサーバの負担を軽減可能な自動販売機、サーバ及び景品抽選システムに関するものである。
【背景技術】
【０００２】
自動販売機においては、如何に需要者の購買意欲を高め、商品の購入を促進するかが重要な課題となっている。従来、需要者の購買意欲を喚起するために、自動販売機に抽選手段を設け、抽選結果に応じて、当該自動販売機で販売されている商品を景品として提供するものが存在している。例えば、缶飲料を販売する自動販売機においては、抽選に当選した場合には、更に、もう１本の缶飲料を選択可能とし、景品として缶飲料を提供するものがある。
ここで、景品として購入者に提供されるものは、景品価値を高めた場合（例えば、高額商品を景品とした場合）、景品価値を高めた分だけ景品提供者が得られる利益が減少してしまうため、当該自動販売機で提供される安価な商品に限定されていた。
そして、缶飲料を販売する自動販売機において、景品として缶飲料を提供するような、販売する商品と等価値の景品を提供することは、既に広く行われており、現在では、需要者の購買意欲を喚起する効果を十分に得ることができなくなってしまっている。
【０００３】
ここで、自動販売機に関し、需要者の購買意欲を高めることを目的とする様々な発明がなされている（例えば、特許文献１、特許文献２参照）。
特許文献１、特許文献２に記載されている自動販売機は、商品購入時に抽選を行い、抽選に当選した場合、景品やサービスを提供し、その際、提供する景品やサービスの態様を複数種類から選択可能な自動販売機が記載されている。
【特許文献１】特開２００４−１２６６６０号公報
【特許文献２】特開２００４−３５５０５０号公報
【０００４】
しかし、上記特許文献１、特許文献２に記載されている自動販売機においては、自動販売機単独で景品やサービスを提供するため、抽選により当選した場合に提供される景品等は、自動販売機で提供可能なものに限定されてしまう。例えば、特許文献１に記載されている自動販売機は、商品購入時の抽選に基づいて景品を提供するが、提供される景品は、当該景品が収納される収納部が自動販売機内に設置可能なものに限定されてしまう。従って、提供可能な景品に大きさという制限がかけられてしまうので、需要者の購買意欲を喚起するという効果を充分に発揮することができない。
【０００５】
そこで、提供可能な景品に対する制限という問題点を解決し、需要者の購買意欲を高めることを目的とする発明もなされている（例えば、特許文献３参照）。
特許文献３には、自動販売機と、サーバとが接続された抽選管理システムが記載されている。特許文献３に記載の抽選管理システムにおいては、自動販売機とサーバを通信網により接続し、サーバで抽選を行い、抽選結果を管理している。
そして、サーバで抽選結果の管理を行うことにより、リアルタイムで抽選結果を確認することを可能とし、更に、景品として、自動販売機で扱うことができないものを提供することができる。
【特許文献３】特開２００２−２８８７１５号公報
【発明の開示】
【発明が解決しようとする課題】
【０００６】
しかしながら、特許文献３に記載された抽選管理システムにおいては、各自動販売機からの抽選要求に応じてサーバが抽選を行う構成であるため、多数の抽選要求を重複して受けた場合には、サーバの処理能力の限界を超え、抽選処理を行えない状態となってしまうことが想定される。
ここで、自動販売機という販売形態では、特に迅速に利用者に抽選結果を報知しなければならないので、サーバで抽選管理が行われる自動販売機の台数はサーバの処理能力により限定されてしまうことになる。
そして、上述したように、自動販売機で提供される景品については、景品提供者の利益を減少させないことが必要とされる。即ち、或るサーバで管理される自動販売機の台数が多いほど、より利用者に魅力のある景品を提供することが可能となる。つまり、特許文献３では、サーバに接続される自動販売機の台数が限定されることにより、景品として提供される対象にも限度が生じる結果となる。
この結果、特許文献３に記載されている抽選管理システムにおいては、自動販売機で扱うことができないものを景品として提供することができるが、その提供される景品が限定されてしまうため、魅力ある景品を提供することで需要者の購買意欲を喚起するという効果の面に制限が課されてしまうという問題点が生じてしまう。
【０００７】
本発明は、上述した問題点に鑑み、販売時に抽選を行い、景品を提供可能な自動販売機に関し、サーバと接続することにより、自動販売機で取り扱うことができない対象を景品として提供可能とするとともに、当該抽選に係るサーバの負担を軽減可能な自動販売機、サーバ及び景品抽選システムを提供することを目的とする。
【課題を解決するための手段】
【０００８】
この課題を解決するために成された請求項１に係る発明は、商品を選択する商品選択手段（例えば、商品選択ボタン７）と、前記商品選択手段による選択と、当該商品に対する対価の投入に基づいて、商品を販売する販売制御手段（例えば、販売制御部３４）と、を備える自動販売機（例えば、自動販売機１）において、外部に設置されたサーバ（例えば、サーバ８０）と接続し、双方向通信を行う通信手段（例えば、通信制御部３６）と、前記商品選択手段による商品の選択に基づいて抽選を行い、前記商品選択手段で選択された商品の搬出のみを行う第１抽選結果（例えば、「はずれ」）と、前記商品選択手段で選択された商品の搬出と共に、前記自動販売機で提供可能な通常景品を提供する第２抽選結果（例えば、「通常当選」）と、前記商品選択手段で選択された商品の搬出と共に、前記自動販売機外で提供される特別景品を提供する第３抽選結果（例えば、「特別当選」）と、の何れかの抽選結果に決定する抽選手段（例えば、景品抽選部４５）と、前記抽選手段の抽選結果が第２抽選結果の場合には、前記通常景品を提供するとともに、前記抽選手段の抽選結果が第３抽選結果の場合には、前記通信手段により、前記特別景品を提供する特別景品提供信号を前記サーバに送信する景品制御手段（例えば、主制御部２０）と、を備えることを特徴とする。
【０００９】
また、請求項２に係る発明は、前記請求項１に記載の自動販売機（例えば、自動販売機１）において、前記抽選手段により、第３抽選結果に決定された場合には、第３抽選結果に当選した利用者を特定する利用者特定情報を前記サーバに入力するためのアドレス情報を報知する報知手段（例えば、液晶ディスプレイ５）を有することを特徴とする。
【００１０】
そして、請求項３に係るサーバ（例えば、サーバ８０）は、前記請求項１又は２に記載の自動販売機（例えば、自動販売機１）と接続し、双方向通信を行うサーバ通信手段（例えば、サーバ通信制御部８３）と、前記サーバ通信手段により前記特別景品提供信号を受信すると、前記自動販売機に対し、前記アドレス情報を報知させる報知信号を送信する通信制御手段（例えば、サーバＣＰＵ８１）と、を有することを特徴とする。
【００１１】
更に、請求項４に係る景品抽選システム（例えば、景品抽選システム１００）は、前記請求項１又は２に記載の自動販売機（例えば、自動販売機１）と、前記自動販売機と接続し、双方向通信を行うサーバ通信手段（例えば、サーバ通信制御部８３）と、前記サーバ通信手段により前記特別景品提供信号を受信すると、前記自動販売機に対し、前記アドレス情報を報知させる報知信号を送信する通信制御手段（例えば、サーバＣＰＵ８１）と、を有するサーバ（例えば、サーバ８０）と、を有することを特徴とする。
【発明の効果】
【００１２】
本発明に係る自動販売機、サーバ及び景品抽選システムでは、利用者が自動販売機で商品を購入すると、自動販売機に配設された抽選手段により、景品の提供に関する抽選を実行する。そして、自動販売機は、前記抽選手段による抽選結果が第２抽選結果の場合、景品制御手段により前記通常景品を提供し、前記抽選手段の抽選結果が第３抽選結果の場合、前記通信手段により前記特別景品を提供する特別景品提供信号を前記サーバに送信する。
一方、サーバは、前記サーバ通信手段により前記特別景品提供信号を受信すると、前記自動販売機に対し、前記利用者特定情報を前記サーバに入力するためのアドレス情報を報知させる報知信号を送信する。
そして、報知信号を受信すると、自動販売機は、当該報知信号に基づいて、前記アドレス情報を、報知手段により報知する。
【００１３】
このように、本発明に係る自動販売機、サーバ及び景品抽選システムでは、第２抽選結果に当選した場合には、通常景品が利用者に提供され、第３抽選結果に当選した場合には、サーバに対して特別景品提供信号を送信する。そして、サーバからの報知信号を受信することにより、報知手段を介して、第３抽選結果への当選を利用者に報知するとともに、当該利用者を特定するための利用者特定情報を入力するために必要なアドレス情報を取得することができる。
従って、アドレス情報に基づいて、利用者特定情報をサーバに入力することにより、自動販売機外で提供される特別景品を第３抽選結果に当選した遊技者に提供することが可能となるので、抽選の結果、第３抽選結果に当選した利用者に提供される景品を自動販売機外で提供されるものとすることができる。即ち、特別景品に多様性を持たせることができるので、特別景品をより魅力的なものにすることができる。この結果、自動販売機の魅力を向上させることができ、需要者の購買意欲を喚起することができる。
【００１４】
また、本発明においては、景品の抽選は自動販売機に配設された抽選手段において行われるので、自動販売機外で提供される特別景品に関する処理がサーバに大きな負担をかけることもない。従って、単一のサーバで処理可能な自動販売機の台数に関する制限が緩和されるので、特別景品として提供される対象に関する制限も緩和されることとなり、より魅力的な特別景品を提供することが可能となる。
【００１５】
そして、本発明においては、第３抽選結果に当選した場合にのみ、アドレス情報が報知され、利用者特定情報が要求される。即ち、利用者は、必要な場合にのみ利用者特定情報の入力を行えばよく、その他の場合には煩雑な作業を要求されることはない。これにより、利用者は、快適に自動販売機を利用して商品を購入することができる。
【発明を実施するための最良の形態】
【００１６】
以下、本発明に係る自動販売機、サーバ及び景品抽選システムについて、缶飲料を販売するとともに、缶飲料の販売に基づき景品抽選を行う自動販売機１と、複数台の自動販売機１と通信網を介して接続されるサーバ８０を用いて構成することで景品抽選システム１００を具現化した実施形態に基づき、図面を参照しつつ詳細に説明する。
【００１７】
先ず、景品抽選システム１００の概略構成について、図面を参照しつつ詳細に説明する。図１は、本実施形態に係る景品抽選システム１００のシステムブロック図である。
ここで、本実施形態に係る景品抽選システム１００では、缶飲料の購入に基づく抽選により、利用者に景品が提供される。そして、利用者に提供される景品には、特別景品、通常景品の２種類の景品があり、抽選結果は「特別当選」、「通常当選」、「はずれ」の３種類が存在する。
先ず、通常景品とは、自動販売機１で提供可能な商品であり、通常景品に当選した場合（以後、通常当選と称す）には、利用者が缶飲料を購入した際に提供される。尚、本実施形態においては、通常景品として「缶飲料」が提供されるものとする。
一方、特別景品とは、当該景品の大きさによる制限や景品の金額等の防犯上の制限などの各種制限により、自動販売機１では取り扱うことのできない商品である。特別景品に当選した場合（以後、特別当選と称す）には、当選した利用者に対し、缶飲料購入時は購入した缶飲料のみを提供し、特別景品については後に郵送等の手段により提供される。
尚、本実施形態においては、特別景品として、「ハワイ旅行のチケット」が提供されるものとし、特別景品として提供される「ハワイ旅行のチケット」は１０枚あるものとする。即ち、１０人の缶飲料購入者が「ハワイ旅行のチケット」を特別景品として手にすることができる。
【００１８】
本実施形態に係る自動販売機１には、景品抽選制御部３５、通信制御部３６、液晶ディスプレイ５が配設されている。即ち、利用者が自動販売機１で缶飲料を購入すると、景品抽選制御部３５により景品抽選が行われ、抽選結果が決定される。
ここで、抽選結果が、「通常当選」又は「はずれ」の場合には、従来の自動販売機と同様の処理が行われる。即ち、通常当選の場合には、購入した缶飲料とは、別に「通常景品」としての缶飲料が提供される。そして、「はずれ」の場合には、購入した缶飲料のみが提供される。一方、「特別当選」した場合には、従来とは異なる処理が行われる。
【００１９】
図１を参照しつつ、特別当選した場合の処理について簡単に説明する。利用者が缶飲料を購入し、景品抽選制御部３５による抽選の結果、特別景品に当選すると、サーバ８０に対して、特別当選したことを示す特別当選情報が送信される。
ここで、サーバ８０では、サーバ通信制御部８３により特別当選情報を受信し、特別景品を提供可能であるか否かについての判断を行う。つまり、特別景品の全てに、既に当選した利用者が存在しているか否かについての判断を行う。
特別景品の全てに当選した利用者が存在する場合には、今回の当選者に提供可能な特別景品が存在しないこととなるので、特別当選したことを報知する特別当選表示を行わずに景品抽選にはずれたときと同様の処理がなされる。
一方、今回の当選者に提供可能な特別景品が存在する場合には、当該自動販売機１に対して特別当選表示指令を送信する。特別当選表示指令を受信した自動販売機１では、特別景品に当選した旨を示す特別当選表示が液晶ディスプレイ５に表示される。この特別当選表示では、液晶ディスプレイ５上に、特別景品の送付先等の個人データを入力する為のサイト（以下、個人データ入力サイトと称す）のＵＲＬが変換された２次元コードも表示される。
従って、特別景品に当選した利用者は、２次元コードを取得することで、個人データ入力サイトにアクセスすることが可能となる。そして、個人データ入力サイトにアクセスし、個人データを入力すると、サーバ８０に当該個人データが格納される。従って、サーバの管理者、即ち景品提供者側では、格納されている個人データに基づいて、当選した特別景品が利用者のもとに送ることができる。
【００２０】
このように、本実施形態に係る景品抽選システム１００においては、自動販売機１で提供可能な通常景品のみでなく、様々な制限により自動販売機１では提供することができない特別景品を提供することが可能となる。従って、特別景品として、多様な商品を取り扱うことができるので、自動販売機１の販売対象商品に対する購買意欲を高めることができ、販売対象商品のメーカ、自動販売機メーカに利益を付与することができる。
【００２１】
ここで、上述した景品抽選システム１００について、図面を参照しつつ、より詳細に説明する。
先ず、本実施形態に係る景品抽選システムを構成する自動販売機１について、図面を参照しつつ詳細に説明する。図２は、本実施形態に係る自動販売機の正面図である。
【００２２】
本実施形態に係る自動販売機１は、缶飲料を販売する自動販売機であり、従来の自動販売機と同様に屋内、屋外を問わず様々な場所に設置され、各自動販売機１の設置時期もそれぞれ異なっている。そして、本実施形態に係る自動販売機１は、上述したように缶飲料を販売対象としているが、販売対象である缶飲料は、季節、設置場所、流行に応じて、その種類を変更することができる。また、自動販売機１に対する缶飲料の提供メーカが変更された場合においても、販売対象である缶飲料の種類は変更される。即ち、設置環境等の多様な条件下において使用されるものである。
【００２３】
ここで、本実施形態に係る自動販売機１は、販売対象である缶飲料が飲料の種類ごとに収納されるコラムが複数設けられた本体部２と、本体部２の前面に開閉自在に取り付けられた前扉３とで構成されている。
本体部２には、缶飲料の販売、缶飲料の販売に基づく景品抽選を行うための制御回路や、各種缶飲料が種類ごとに格納されるコラムなどが配設されている。
そして、前扉３は、本体部２の左側面端を支軸として開閉するものであり、コラム設定、缶飲料補充等を行うときは開錠して開き、通常販売を行うときは施錠して閉じておくものである。
【００２４】
ここで、前扉３の前面には、自動販売機１で購入可能な缶飲料を示す缶飲料サンプル４が複数種類陳列されると共に、液晶ディスプレイ５が配設されたショーケース６が形成されている。
液晶ディスプレイ５は、汎用されている液晶ディスプレイであり、本体部２に内蔵されている接客制御部３３により制御され、多様な表示内容で表示を行う。本実施形態においては、自動販売機１で缶飲料を購入時に実行される景品抽選に関する情報が表示される。
尚、液晶ディスプレイ５は、動画表示も可能なものであるので、動画により情報提供することも可能であるし、静止画像で情報提供することも可能である。即ち、液晶ディスプレイ５において、自動販売機１で販売される缶飲料の新商品に関する広告放送を行うことも可能である。
ショーケース６の正面側は、透明樹脂製のパネル材で覆われており、このパネル材を介して、ショーケース６の内部を視認することができる。つまり、利用者は、パネル材を通して、ショーケース６の内部に陳列された複数種類の缶飲料サンプル４を見渡すことにより、購入したい缶飲料を選択することができ、更に、液晶ディスプレイ５で表示された情報を取得することができる。
【００２５】
そして、各缶飲料サンプル４の下方には、当該缶飲料サンプル４が示す缶飲料を購入する際に入力する商品選択ボタン７が配設されている。ここで、商品選択ボタン７は、当該缶飲料の販売可能状態又は当該缶飲料の売り切れ状態を示す商品状態表示ランプ７ａを内蔵している。商品状態表示ランプ７ａには、自動販売機内部のコラムに缶飲料が収容されており、当該缶飲料を販売可能である状態を示す販売可ランプと、コラムに缶飲料が収納されていない状態を示す売り切れランプが配設されている。
ここで、販売可ランプは、利用者が少なくとも１本の缶飲料を購入できる金額を投入すると、販売可能な缶飲料に対応する商品選択ボタン７のものが点灯する。一方、売り切れランプは、自動販売機１内部の所定コラムが空になると、この缶飲料に対応するものが常時点灯する。
【００２６】
そして、前扉３におけるショーケース６の下方には、硬貨投入口８、紙幣挿入口９、返却レバー１０、表示部１１が配設されている。
硬貨投入口８は、利用者が購入を希望する缶飲料の対価として硬貨を投入する部分であり、投入硬貨は自動販売機内部の後述するコインメカに供給される。そして、紙幣挿入口９は、利用者が缶飲料の対価として紙幣を挿入する部分であり、挿入紙幣は自動販売機内部に配設されている後述するビルバリに供給される。
返却レバー１０は、投入硬貨を返却口１２から返却したり、投入硬貨または挿入紙幣から缶飲料購入金額を差し引いた釣銭を返却口１２から返却したりするためのものである。
そして、表示部１１には、投入硬貨金額、挿入紙幣金額を表示する金額表示部１１ａと、自動販売機１の販売状態を表示する販売状態表示ランプ１１ｂが配設されている。販売状態表示ランプ１１ｂは、自動販売機１が正常に作動している状態を示す販売中ランプと、自動販売機１に故障が発生した状態を示す中止ランプと、缶飲料購入時のつり銭が切れている釣銭切ランプとで構成されている。従って、自動販売機１の利用者及び管理者は、販売状態表示ランプ１１ｂを確認することで、当該自動販売機１の販売状態を確認することができる。
更に、図２に示すように、表示部１１の左側には、広告板１４が配設されている。この広告板１４には、様々な情報が印刷され、利用者に対して当該情報を提供する機能を有する。例えば、本実施形態に係る自動販売機１の場合には、当該自動販売機１による景品抽選で当選すると付与される景品の内容や、自動販売機１で販売される缶飲料の新商品の広告などの情報を提供することができる。
【００２７】
前扉３の下方には、返却口１２、商品取出口１３が形成されている。返却口１２は、缶飲料を購入した際の釣銭や、硬貨投入口８から投入された硬貨が返却される部分であり、返却レバー１０を操作すると、返却口１２へ対応する金額の硬貨が返却される。
そして、商品取出口１３は、缶飲料を購入可能な金額を投入し、販売可ランプが点灯している商品選択ボタン７を押下した場合に、商品選択ボタン７に対応する缶飲料が搬出される部分である。
【００２８】
次に、自動販売機１の制御系について、図面を参照しつつ詳細に説明する。図３は、本実施形態に係る自動販売機１の制御系ブロック図である。
【００２９】
自動販売機１は、缶飲料の販売や景品抽選等の各種制御は、主制御部２０により行われている。図３に示すように、主制御部２０は、自動販売機の制御を統括するものであり、ＣＰＵ２５、ＲＯＭ２６、ＲＡＭ２７、周辺回路（タイマ２８等）を内蔵するマイクロコンピュータから成るものである。詳述すると、ＣＰＵ２５は、ＲＯＭ２６から読み出されたプログラムデータの解読結果に従って複数の従制御部を統括制御するものであり、ＲＯＭ２６は、後述する複数の従制御部を統括制御するためのプログラムや、後述する景品抽選テーブルなどのデータテーブルが予め格納されたものである。そして、ＲＡＭ２７は、ＣＰＵ２５による演算結果、複数の従制御部からの各種データ等の書き込みまたは読み出しを行うものである。
【００３０】
そして、主制御部２０には、硬貨処理制御部３１、紙幣処理制御部３２、接客制御部３３、販売制御部３４、景品抽選制御部３５が接続されており、これらの硬貨処理制御部３１、紙幣処理制御部３２、接客制御部３３、販売制御部３４、景品抽選制御部３５は、複数の従制御部に相当する。
硬貨処理制御部３１は、コインメカ４１と接続されており、コインメカ４１を制御することにより、投入硬貨の金種、正偽等の判別、金種別枚数の計算、金庫への余剰硬貨の収容、釣銭払い出し等を行わせるものである。そして、コインメカ４１は、釣銭切れを検出する釣銭切れセンサを備え、硬貨投入口８からの投入硬貨を受け取り、必要に応じて釣銭を返却口１２から返却するものである。
紙幣処理制御部３２は、ビルバリ４２と接続されており、を制御し、挿入紙幣の金種、正偽等の判別、金種別枚数の計算、釣札払い出し等を行わせるものである。そして、ビルバリ４２は、コインメカ４１と同様に、釣札切れを検出する釣札切れセンサを備え、紙幣挿入口９からの挿入紙幣を受け取り、必要に応じて釣札を紙幣挿入口９から返却するものである。
このように、硬貨処理制御部３１および紙幣処理制御部３２は、硬貨投入および紙幣挿入が行われるその都度、処理動作を実行する。
【００３１】
接客制御部３３は、接客部４３を制御し、自動販売機１の利用者に対する接客を行うものである。接客部４３は、液晶ディスプレイ５と、複数種類の缶飲料サンプル４に対応して設けられた複数の商品選択ボタン７と、表示部１１を備えたものである。上述したように、各商品選択ボタン７には夫々商品状態表示ランプ７ａが配設されており、表示部１１には金額表示部１１ａ、販売状態表示ランプ１１ｂが配設されている。
つまり、接客制御部３３は、主制御部２０からの缶飲料販売に関する接客指示に従って、表示部１１の販売状態表示ランプ１１ｂの点灯態様の変更や、販売飲料別の商品選択ボタン７に配設されている商品状態表示ランプ７ａの点灯態様の変更を行う。
又、硬貨処理制御部３１、紙幣処理制御部３２からの情報に基づく主制御部２０からの指令により、金額表示部１１ａに表示する投入金額の変更も行う。
更に、接客制御部３３により、液晶ディスプレイ５に表示態様の変更制御も行う。尚、接客制御部３３は、複数の商品選択ボタン７の何れが押下されたのかを入力信号に基づいて検出し、このときの検出信号を主制御部２０に対する送信も行う。
【００３２】
そして、販売制御部３４は、販売機構４４と接続されており、販売機構４４を制御するものである。そして、販売機構４４は、利用者が希望する缶飲料を商品取出口１３まで搬出させる機構である。従って、販売制御部３４は、接客制御部３３からの前記検出信号に応答した主制御部２０からの販売指示に従って、利用者の希望商品を商品取出口１３まで搬出させる。
【００３３】
景品抽選制御部３５は、景品抽選部４５と接続されており、缶飲料の購入を検知すると、上述した「特別当選」、「通常当選」、「はずれ」の何れかに対する抽選を行う部分である。
ここで、景品抽選部４５は、基準クロックパルスを発生するクロックパルス発生回路４６及び分周器４７と、乱数を発生する乱数発生器４８及び乱数サンプリング回路４９とから構成されている。
従って、景品抽選制御部３５は、接客制御部３３からの検出信号に応答した主制御部２０からの景品抽選指示に基づいて、乱数サンプリング回路４９により乱数をサンプリングする。そして、乱数サンプリング回路４９を介してサンプリングされた乱数と、ＲＯＭ２６に格納されている後述する抽選テーブルとに基づいて、「特別当選」、「通常当選」、「はずれ」の当選内容を決定する。
【００３４】
そして、通信制御部３６は、主制御部２０と同様のＲＯＭ、ＣＰＵ、ＲＡＭを内蔵し、主制御部２０からの通信指示に従って、サーバ８０に配設されたサーバ通信制御部８３と通信網を介して通信するものである。具体的には、景品抽選制御部３５により行われた抽選結果が「特別当選」であった場合には、特別景品に当選したことを示す特別当選情報をサーバ８０に送信し、特別当選情報に基づく特別当選表示指令の受信を行う。
【００３５】
次に、本実施形態に係る景品抽選システム１００を構成するサーバ８０について、図面を参照しつつ詳細に説明する。図４は、サーバ８０の制御系を示すブロック図である。
図４に示すように、本実施形態に係るサーバ８０は、サーバＣＰＵ８１、サーバＲＯＭ８２、サーバ通信制御部８３、サーバ記憶領域８５とから構成されている。
サーバＣＰＵ８１は、サーバ８０の各種制御を行うべく、制御プログラムを実行する中央演算処理装置である。従って、サーバＣＰＵ８１は、サーバＲＯＭ８２に格納されている景品抽選システム１００を構成する自動販売機１とのデータや信号の送受信や、利用者が個人データ入力する場合における携帯電話１５０とのデータや信号の送受信をおこなう通信プログラム等を実行する。
【００３６】
サーバＲＯＭ８２は、サーバＣＰＵ８１の各種制御動作を行うための制御プログラムが格納されている不揮発性の読出し専用メモリである。従って、サーバＲＯＭ８２には、通信プログラムや、個人データの管理、特別景品の在庫管理等の管理制御プログラム等の各種プログラムが記憶されている。
サーバ通信制御部８３は、サーバ８０と、自動販売機１及び携帯電話１５０との双方向通信を、通信網を介して行う通信手段である。
つまり、サーバ通信制御部８３は、サーバ８０が送信するデータを、通信形式に応じて、送信可能な形式の信号に変え、外部へ送信するとともに、自動販売機１及び携帯電話１５０から送られて来た信号を受信し、サーバ８０が読み取れる形の信号にもどす装置である。
【００３７】
サーバ記憶領域８５は、サーバ８０で用いられる各種データが記憶され、記憶内容の追加、削除可能な記憶手段である。このサーバ記憶領域８５は、サーバ８０の制御プログラムを実行する際に、各種演算結果を一時的に格納する記憶手段でもある。そして、サーバ記憶領域８５には、サイトＤＢ８５ａと、特別景品ＤＢ８５ｂが形成されている。
サイトＤＢ８５ａは、自動販売機１で缶飲料を購入した利用者が「特別当選」をした際に、当該利用者の氏名、住所、電話番号等の個人データを入力する為の個人データ入力サイトが格納されているデータベースである。従って、特別当選した利用者は、携帯電話１５０等により個人データを入力する際には、サイトＤＢ８５ａに格納されている当該個人データ入力サイトにアクセスすることになる。
そして、個人データ入力サイトにおいて、入力された特別当選した利用者の個人データ（氏名、住所、電話番号）は、後述する特別景品ＤＢ８５ｂの個人データ記憶領域８７に記憶される。
【００３８】
一方、特別景品ＤＢ８５ｂは、各特別景品に対し、当該特別景品に対する当選の有無を示すデータと、特別景品当選者の個人データが関連付けられて形成されるデータベースである。ここで、特別景品ＤＢ８５ｂについて、図面を参照しつつ詳細に説明する。図５は、特別景品ＤＢ８５ｂを模式的に示す説明図である。
上述したように、本実施形態においては、特別景品として「ハワイ旅行のチケット」が１０枚提供されている。従って、特別景品ＤＢ８５ｂには、各「ハワイ旅行のチケット」に対する記憶領域（本実施形態においては、１０の記憶領域）が形成されている。
そして、各「ハワイ旅行のチケット」を示す記憶領域には、当該「ハワイ旅行のチケット」が、既に、自動販売機１での抽選により提供されることが決定しているか否かを示す当選済データが記憶される当選状況記憶領域８６と、特別当選した利用者がサイトＤＢ８５ａの個人データ入力サイトにアクセスすることで入力される個人データ（氏名、住所、電話番号）が記憶される個人データ記憶領域８７が形成されている。
従って、当選状況記憶領域８６を参照することにより、特別当選した利用者に提供可能な特別景品の残数を判断することができる。また、サーバ８０の管理者が、個人データ記憶領域８７を参照することにより、特別当選した利用者の住所、氏名、電話番号を知得することができ、当該利用者に対して、特別景品である「ハワイ旅行のチケット」を送ることができる。
【００３９】
続いて、本実施形態に係る自動販売機１の制御について、図面を参照しつつ詳細に説明する。図６は、本実施形態に係る自動販売機１のメイン制御プログラムのフローチャートである。
自動販売機１では、先ず、Ｓ１において、缶飲料の代金が投入されたか否かについての判断がなされる。即ち、ＣＰＵ２５は、硬貨処理制御部３１、紙幣処理制御部３２から送出される信号に基づいて、硬貨又は紙幣が投入されたか否かについての判断をおこなう。
そして、ＣＰＵ２５は、缶飲料の代金が投入されるまでは処理を待機し（Ｓ１：ＮＯ）、缶飲料の代金が投入されたことを検出することで（Ｓ１：ＹＥＳ）、Ｓ２に移行する。
【００４０】
そして、Ｓ２では、ＣＰＵ２５は、商品選択ボタン７の何れかが入力されたか否かについての判断を行う。接客制御部３３により送信される信号に基づいて、商品選択ボタン７の何れかが入力された場合には（Ｓ２：ＹＥＳ）、景品抽選処理（Ｓ３）に移行し、何れの商品選択ボタン７の入力もない場合には（Ｓ２：ＮＯ）、処理を待機する。
【００４１】
続いて、Ｓ３においては、「特別当選」、「通常当選」、「はずれ」の何れかを決定する景品抽選処理が行われる。即ち、景品抽選処理（Ｓ３）においては、接客制御部３３から送信される商品選択ボタン７の入力信号により缶飲料の購入を検知すると、主制御部２０からの景品抽選指示を景品抽選制御部３５に送信する。そして、景品抽選制御部３５は、ＣＰＵ２５から送信される景品抽選指示に基づいて、乱数サンプリング回路４９により乱数をサンプリングする。そして、乱数サンプリング回路４９を介してサンプリングされた乱数と、ＲＯＭ２６に格納されている後述する抽選テーブルとに基づいて、特別景品である「ハワイ旅行のチケット」に当選する「特別当選」、購入された缶飲料とは別に、通常景品として「缶飲料」を提供する「通常当選」、購入した缶飲料のみを提供し、景品の提供を行わない「はずれ」の３種類の当選内容から１の当選内容を決定する。
【００４２】
ここで、景品抽選処理（Ｓ３）において、ＲＯＭ２６から読み出され、景品抽選に使用される景品抽選テーブルについて、図面を参照しつつ詳細に説明する。図７は、景品抽選処理（Ｓ３）において使用される景品抽選テーブルの説明図である。
図７に示すように、景品抽選テーブルで使用される乱数値の範囲は、０〜１６３８３であり、乱数サンプリング回路４９を介してサンプリングされた乱数値が０〜１の範囲にある場合には、特別景品である「ハワイ旅行のチケット」が提供される特別当選が抽選結果となる。
また、乱数サンプリング回路４９を介してサンプリングされた乱数値が、２〜１６４の範囲にある場合には、通常景品である「缶飲料」が提供される通常当選が抽選結果となり、同様に、サンプリングされた乱数値が１６５〜１６３８３の範囲にある場合には、何等の景品も提供されない「はずれ」が抽選結果となる。
サンプリング回路４９によりサンプリングされた乱数値に基づいて、抽選結果が決定されると、当該抽選結果は、ＲＡＭ２７に格納される。
【００４３】
景品抽選処理（Ｓ３）により抽選結果が決定されると、ＣＰＵ２５は、選択商品排出処理（Ｓ４）に移行する。ここで、選択商品排出処理（Ｓ４）は、Ｓ２において入力された商品選択ボタン７に対応する缶飲料を商品取出口１３に排出する処理である。即ち、ＣＰＵ２５は、入力された商品選択ボタン７に基づいて販売制御部３４に信号を送信し、販売機構４４により、利用者が所望する缶飲料を商品取出口１３に排出する。従って、選択商品排出処理（Ｓ４）を実行することで、利用者は、自ら所望する缶飲料を手にすることができる。
尚、この選択商品排出処理（Ｓ４）については、既に公知の技術であるので、詳細な説明は省略する。
【００４４】
選択商品排出処理（Ｓ４）の後、ＣＰＵ２５は、景品抽選処理（Ｓ３）の抽選結果が「特別当選」であるか否かについての判断を行う。ＣＰＵ２５は、ＲＡＭ２７に格納される抽選結果を参照し、抽選結果が「特別当選」である場合には（Ｓ５：ＹＥＳ）、特別当選処理（Ｓ６）に移行する。一方、抽選結果が「通常当選」又は「はずれ」である場合には（Ｓ５：ＮＯ）、Ｓ７に移行する。
【００４５】
抽選結果が「特別当選」である場合（Ｓ５：ＹＥＳ）に移行する特別当選処理（Ｓ６）においては、特別景品を提供可能であるか否かの判断や、特別景品を利用者に提供する為の手続に関する処理が行われる。この特別当選処理（Ｓ６）については、後に詳細に説明することとし、ここでの説明は省略する。
そして、特別当選処理（Ｓ６）を終了すると、自動販売機１におけるメイン制御プログラムを終了する。
【００４６】
Ｓ７においては、ＣＰＵ２５は、景品抽選処理（Ｓ３）による抽選結果が「通常当選」であるか否かについての判断を行う。即ち、ＣＰＵ２５は、ＲＡＭ２７に格納されている抽選結果を参照し、「通常当選」の抽選結果が格納されている場合には（Ｓ７：ＹＥＳ）、通常景品排出処理（Ｓ８）を実行する。一方、「はずれ」の抽選結果が格納されている場合には（Ｓ７：ＮＯ）、そのままメイン制御プログラムを終了する。
【００４７】
ここで、通常景品排出処理（Ｓ８）においては、自動販売機１で提供可能な缶飲料を１本、通常景品として利用者に提供する処理、つまり、利用者による商品選択ボタン７の入力、入力された商品選択ボタン７に対応する缶飲料の排出という処理が行われる。上述したＳ２〜Ｓ４と略同様の処理が行われるのであるから、この通常景品排出処理（Ｓ８）についての詳細な説明は省略する。
尚、この通常景品排出処理（Ｓ８）における商品選択ボタン７を入力した後は、景品抽選は行われず、そのまま、商品選択ボタン７で選択された缶飲料が商品取出口１３から排出される。
通常景品排出処理（Ｓ８）により、通常景品としての缶飲料を提供した後、ＣＰＵ２５は、そのままメイン制御プログラムを終了する。
【００４８】
次に、自動販売機１において、特別当選した場合（Ｓ５：ＹＥＳ）に移行する特別当選処理（Ｓ６）で実行される特別当選処理プログラムについて、図面を参照しつつ詳細に説明する。図８は、特別当選処理プログラムのフローチャートである。
景品抽選処理（Ｓ３）で特別当選し（Ｓ５：ＹＥＳ）、特別当選処理（Ｓ６）に移行すると、先ず、ＣＰＵ２５は、景品抽選処理（Ｓ３）の抽選結果が「特別当選」であることを示す特別当選情報と、当該自動販売機１を識別する為の識別情報を、サーバ８０に対して送信する（Ｓ１１）。
【００４９】
一方、サーバ８０では、自動販売機１から送信された特別当選情報及び識別情報をサーバ記憶領域８５に格納し（Ｓ５１）、提供可能な特別景品があるか否かについての判断を行う（Ｓ５２）。
即ち、Ｓ５２においては、サーバＣＰＵ８１は、特別景品ＤＢ８５ｂの当選状況記憶領域８６を参照し、特別景品の全てが既に提供されることが決定しているか否かを判断する。全ての特別景品が既に提供されることが決定済である場合には、今回受信した特別当選情報にかかる利用者に提供可能な特別景品が無いので（Ｓ５２：ＮＯ）、そのまま、特別当選処理（Ｓ６）を終了する。
一方、当選状況記憶領域８６を参照した結果、提供可能な特別景品がある場合には（Ｓ５２：ＹＥＳ）、サーバＣＰＵ８１は、自動販売機１の液晶ディスプレイ５に特別当選表示させる特別当選表示表示指令を、サーバ記憶領域８５に格納された識別情報に基づいて、自動販売機１に送信する（Ｓ５３）。
【００５０】
そして、自動販売機１においては、通信制御部３６により受信した特別当選表示表示指令を受信すると、特別当選表示表示指令をＲＡＭ２７に格納し（Ｓ１２）、特別当選表示表示指令に基づいて、液晶ディスプレイ５に特別当選表示を表示する（Ｓ１３）。そして、ＣＰＵ２５は、特別当選表示を液晶ディスプレイ５に表示した時点から、タイマ２８による計時を開始する。
Ｓ１４においては、特別当選表示の表示開始から所定時間（本実施形態においては、６０秒間）経過したか否かについての判断が行われる。ＣＰＵ２５は、タイマ２８を参照し、所定時間を経過したか否かについての判断を行う。
特別当選表示の表示開始から所定時間を経過するまでは（Ｓ１４：ＮＯ）、液晶ディスプレイ５に特別当選表示を表示しておき、所定時間を経過した時点（Ｓ１４：ＹＥＳ）で、液晶ディスプレイ５の表示態様を通常の表示に変更する。
【００５１】
ここで、Ｓ１３において、液晶ディスプレイ５に表示される特別当選表示について、図面を参照しつつ詳細に説明する。図９は、特別当選表示が表示されている状態の液晶ディスプレイ５を示す説明図である。
上述したように、特別当選表示表示指令を受信した自動販売機１では、液晶ディスプレイ５に、図９に示す特別当選表示が表示される（Ｓ１３）。
図９に示すように、特別当選表示においては、当該特別当選した利用者に対して、特別景品である「ハワイ旅行のチケット」に当選したことを祝福する旨のメッセージと特別景品を取得するための手続に関するメッセージが表示される。
本実施形態においては、サーバ８０の個人データ入力サイトにアクセスし、個人データを入力することにより、特別景品を取得することができる。従って、特別当選表示には、個人データ入力サイトにアクセスするためのＵＲＬ（Uniform Resource Locator）と、当該ＵＲＬの文字列を変換した２次元コードが表示される。
【００５２】
従って、特別当選した利用者は、パーソナルコンピュータや、後述する携帯電話１５０を用い、個人データ入力サイトにアクセスし、自己の氏名、住所、電話番号等の個人データを入力することにより、特別景品を手にすることができる。
そして、当該利用者が、２次元コード解析機能を有する携帯電話１５０所持している場合には、液晶ディスプレイ５に表示されている２次元コードを読み取ることにより、個人データ入力サイトにアクセスする方法を知得することができる。
具体的には、図１０に示すように、特別当選した利用者は、液晶ディスプレイ５に表示されている２次元コードに対して、後述する携帯電話１５０に配設されているカメラ部１５１を向け、液晶画面１５５を見ながら撮影位置を調整する。そして、遊技者は、液晶画面１５５の中央位置に２次元コードがくるように撮影位置を調整した後、決定キー１５９を押下することにより、２次元コードの画像データを取得することができる。
【００５３】
尚、本実施形態においては、上述の２次元コード解析機能を有する携帯電話１５０を使用した場合について、後に詳細に説明するが、その他の方法により個人データを入力することもできる。即ち、２次元コード解析機能を有していない携帯電話１５０を有する利用者は、特別当選表示画面に表示されるＵＲＬを書き写しておき、自ら携帯電話１５０に当該ＵＲＬを入力することで個人データ入力サイトにアクセスすることができる。
また、インターネットに接続可能な携帯電話１５０やパーソナルコンピュータを所持しない利用者は、特別当選表示画面に表示されるＵＲＬを書き写しておき、後に、インターネットカフェなどのインターネットに接続することができる場所で個人データ入力サイトにアクセスすることで個人データを入力することができる。
【００５４】
ここで、自動販売機１の液晶ディスプレイ５に表示された２次元コードの取得、及び、個人データの入力の獲得の際に用いられる携帯電話１５０について、図面を参照しつつ詳細に説明する。図１１は、本実施形態に係る携帯電話１５０を開いた状態における外観斜視図であり、図１２は、携帯電話１５０を閉じた状態における外観斜視図である。
【００５５】
図１１及び図１２に示すように、携帯電話１５０は、液晶画面１５５を有する第１筺体１５０ａと、操作部１５６を有する第２筺体１５０ｂとで構成され、第１筺体１５０ａと第２筺体１５０ｂは、夫々液晶画面１５５、操作部１５６が内側となる方向に折り畳み可能に構成されている。
第１筺体１５０ａには、携帯電話通信手段１５２と、液晶画面１５５及び受話スピーカ１６２が配設されている。携帯電話１５０を折り畳んだ際に内側となる第１筺体１５０ａの一面には、液晶画面１５５が配設されており、操作部１５６による入力内容やインターネットサイト等の各種情報が表示される。尚、この液晶画面１５５は、上述したように、カメラ部１５１での撮影時には、カメラ部１５１で撮影可能な映像を表示する、所謂ファインダとして機能する。そして、図１１に示すように、液晶画面１５５の上部には、携帯電話１５０で通話した際に相手側の音声信号を発音する受話スピーカ１６２が配設されている。
一方、図１２に示すように、液晶画面１５５の背面側には、通信網に接続し、各種データの送受信を行う携帯電話通信手段１５２が配設されている。この携帯電話通信手段１５２は、所謂ロッドアンテナであり、第１筺体１５０ａに伸縮自在に取り付けられている。そして、第１筺体１５０ａの背面の略中央部には、カメラ部１５１が配設されている。このカメラ部１５１は、映像を画像データとして取得するものであり、撮影時に光量が不足した場合に発光し、鮮明な画像データを取得可能とする発光部１５１ａを有している。
【００５６】
第２筺体１５０ｂには、携帯電話１５０を折り畳んだ際に内側となる第２筺体１５０ｂの表面に操作部１５６と、通話マイク１６３が配設されている。そして、第２筺体１５０ｂの内部には、携帯電話１５０の機能の制御を司る携帯電話ＣＰＵ１５３と、カメラ部１５１で撮影した画像データやダウンロードしたデータ等を記憶するメモリ１５４とが格納されている。
図１１に示すように、操作部１５６は、番号／文字入力キー１５７、表示された内容を選択するためのカーソルを動かすカーソルキー１５８、選択を確定する決定キー１５９、電子メールの送受信を行うためのメールキー１６０及びインターネットに接続するためのインターネット接続キー１６１が配設されている。
【００５７】
次に、この携帯電話１５０の制御について説明する。図１３は、携帯電話１５０の制御系を示すブロック図である。
携帯電話１５０は、撮像手段としてのカメラ部１５１、携帯電話通信手段１５２、携帯電話ＣＰＵ１５３、メモリ１５４、液晶画面１５５、操作部１５６、音声制御部１６７、受話スピーカ１６２、通話マイク１６３、及び電池１６４を備えている。
【００５８】
携帯電話通信手段１５２は、携帯電話ＣＰＵ１５３により制御されて、携帯電話通信手段１５２を通じて電波を媒体として基地局に対して送受信する。音声制御部１６７は、携帯電話通信手段１５２から携帯電話ＣＰＵ１５３を通じて出力された受信信号を受話スピーカ１６２に出力するとともに、通話マイク１６３から出力された音声信号を送信信号として携帯電話ＣＰＵ１５３を通じて携帯電話通信手段１５２に出力する。尚、携帯電話１５０とサーバ８０との間で行われるデータの送受信も、この携帯電話通信手段１５２を介して行われる。
【００５９】
受話スピーカ１６２は、音声制御部１６７から出力された受信信号を受信音声に変換して出力し、通話マイク１６３は、操作者から発せられた送信音声を音声信号に変換して音声制御部１６７に出力する。
カメラ部１５１は、自動販売機１の液晶ディスプレイ５に表示される２次元コードを撮像可能であり、撮像して得られた画像データはメモリ１５４に記憶される。
メモリ１５４は、携帯電話ＲＡＭ１５４ａ、携帯電話ＲＯＭ１５４ｂで構成されており、携帯電話ＲＡＭ１５４ａには、例えば、カメラ部１５１が２次元コードを撮像して得られた画像データ等の各種データや各種プログラムが不揮発的に記憶される。
一方、携帯電話ＲＯＭ１５４ｂには、２次元コード解析プログラムや、電話の発着信処理、電子メールの作成送受信処理、インターネット処理に関する制御プログラムが記憶されている。携帯電話１５０では、携帯電話ＣＰＵ１５３でこれらの制御プログラムを実行することにより各処理が行われている。電池１６４は、各回路に電力を供給し、充電端子を介して充電することができる。
【００６０】
次に、自動販売機１で缶飲料を購入し、特別当選した場合において、液晶ディスプレイ５に２次元コードが表示された際に、携帯電話１５０と、サーバ８０との間で行われる通信処理について説明する。図１４は、携帯電話１５０と、サーバ８０との間で行われる通信処理に関するフローチャートである。
この通信処理の前提条件として、自動販売機１で缶飲料を購入した際に、特別当選し、２次元コードを含む特別当選表示が液晶ディスプレイ５に表示されていることとする。
【００６１】
この状態において、遊技者は、携帯電話１５０を操作し（図１０参照）、２次元コードを撮像する（Ｓ１０１）。携帯電話１５０により、２次元コードの撮像操作を行うことにより、携帯電話ＲＡＭ１５４ａに２次元コードの画像データが記憶される（Ｓ１０２）。
そして、携帯電話ＣＰＵ１５３は、２次元コードの画像データが携帯電話ＲＡＭ１５４ａに記憶されたことに基づいて、２次元コード解析処理（Ｓ１０３）に移行する。つまり、携帯電話ＣＰＵ１５３は、携帯電話ＲＯＭ１５４ｂに格納されている２次元コード解析プログラムを実行することにより、２次元コードをデコードし、個人データ入力サイトのＵＲＬデータを抽出する。
ここで、本実施形態に係る携帯電話１５０では、２次元コード解析処理（Ｓ１０３）が実行されるが、この２次元コードをデコードする処理については、既に公知の技術であるので、２次元コード解析処理（Ｓ１０３）に関する詳細な説明は省略する。
【００６２】
続いて、携帯電話ＣＰＵ１５３は、２次元コード解析処理（Ｓ１０３）により、２次元コードから抽出されたＵＲＬデータが示す個人データ入力サイトに対するアクセス要求信号と、携帯電話１５０を識別するＩＤデータを、サーバ８０に対して送信する（Ｓ１０４）。
【００６３】
一方、サーバＣＰＵ８１は、携帯電話１５０からのアクセス要求信号と、ＩＤデータを受信し、受信したアクセス要求信号と、ＩＤデータをサーバ記憶領域８５に記憶する（Ｓ６１）。
そして、サーバＣＰＵ８１は、アクセス要求信号により特定される個人データ入力サイトを構成する各種データを、サイトＤＢ８５ａ内から抽出し、サーバ記憶領域８５に格納されているＩＤデータに基づいて、個人データ入力サイトを構成するデータをアクセス要求信号の発信元である携帯電話１５０に対して送信する（Ｓ６２）。
【００６４】
そして、サーバ８０から個人データ入力サイトを構成するデータを受信すると、携帯電話ＣＰＵ１５３は、液晶画面１５５に個人データ入力サイトを表示する（Ｓ１０５）。
ここで、サイトデータを受信することにより（Ｓ１０５）、液晶画面１５５に表示される表示例を詳細に説明しつつ、サイトデータの受信（Ｓ１０５）後の処理について説明する。図１５は、個人データ入力サイトの表示例を示す説明図である。
【００６５】
サーバ８０より、個人データ入力サイトを構成する各種データを受信すると（Ｓ１０５）、携帯電話１５０の液晶画面１５５には、図１５（ａ）に示すように、個人データの入力を促すメッセージと、個人データ（氏名、住所、電話番号）を入力する入力欄と、選択している入力欄を示すカーソル１６５が表示される。
そして、Ｓ１０６においては、個人データ入力処理が行われる。即ち、利用者がカーソルキー１５８を操作することで、任意の入力欄を選択し、文字入力キー１５７、決定キー１５９を操作することにより、各入力欄に対して、自己の個人データを入力する。
そして、氏名、住所、電話番号の各入力欄に対して、自らの個人データを入力した後は、図１５（ｂ）に示すように、液晶画面１５５の画面下部に位置する「送信」にカーソル１６５を移動し、決定キー１５９を入力することで、個人データ入力処理（Ｓ１０６）を終了し、各入力欄に入力された個人データを送信する（Ｓ１０７）。
【００６６】
一方、携帯電話１５０から特別当選した利用者の個人データを受信すると、サーバ８０は、個人データ受信処理を行う（Ｓ６３）。個人データ受信処理（Ｓ６３）においては、個人データ入力サイトで入力された特別当選した利用者の個人データを、特別景品ＤＢ８５ｂの個人データ記憶領域８７に記憶する。このとき、受信した個人データは、当選状況記憶領域８６において「当選済」とされている特別景品に対する個人データ記憶領域８７に記憶される。
【００６７】
このように、特別景品に当選した利用者が、サーバ８０にアクセスし個人データを入力することにより、各特別景品と、特別景品に対する当選者とが関連付けられる。従って、特別景品の提供者は、特別景品ＤＢ８５ｂの記憶内容を参照することにより、特別景品を郵送又は宅配便などで送付することができる。
【００６８】
以上、説明したように、本実施形態に係る自動販売機１では、缶飲料購入時に抽選を行い、通常当選した場合には、通常景品である缶飲料が利用者に提供される。そして、特別当選した場合には、サーバ８０に特別当選情報を送信する。
サーバ８０では、特別景品を提供可能か否かについての判断を行い、提供可能である場合には、特別当選表示表示指令を送信する。
特別当選表示表示指令を受信すると、自動販売機１では、利用者の個人データを入力可能な個人データ入力サイトのＵＲＬをエンコードした２次元コードを含む特別当選表示が、液晶ディスプレイ５に表示される。
そして、特別当選した利用者は、液晶ディスプレイ５に表示された２次元コード等に基づいて個人データ入力サイトにアクセスし、自己の氏名、住所、電話番号等の個人データを入力する。これにより、景品提供者は、特別景品に当選した利用者を確認することができ、特別景品を利用者に提供することが可能となる。
【００６９】
このように、本実施形態に係る景品抽選システム１００においては、自動販売機１内から提供される通常景品に加え、自動販売機１外において提供される特別景品も提供することができるので、自動販売機１で販売される商品に対する購買意欲を喚起することができる。特に、自動販売機外で提供される特別景品を魅力的なものとすることができるので、より需要者の購買意欲を喚起することができる。
【００７０】
更に、本実施形態に係る景品抽選システム１００では、景品抽選を自動販売機１で実行するので、サーバ８０に対する負担が少ない。従って、１台のサーバ８０で多くの自動販売機１の景品抽選の管理が可能となるので、より魅力的なものを特別景品とすることが可能となる。この結果、本実施形態における特別景品「ハワイ旅行のチケット」のように、防犯上自動販売機内に収納しておくことができず、自動販売機内からは提供することができないものや、大きさによる制限から自動販売機で提供し得ないもの（例えば、衣類や自動車など）を、特別景品として利用者に提供することが可能となるので、需要者の購買意欲を強く刺激することができ、自動販売機１、景品抽選システム１００から大きな利益を得ることができる。
【００７１】
また、特別当選した場合にのみ、液晶ディスプレイ５に２次元コードが表示され、個人データの入力が求められ、通常当選又は「はずれ」の場合には、利用者に作業が要求されることはない。従って、不必要な作業を要求されることもないので、快適に商品を購入することができる。
【００７２】
尚、本発明は、上記実施の形態に限定されるものでなく、その趣旨を逸脱しない範囲で様々な変更が可能である。
例えば、本実施の形態においては、通常景品として「缶飲料」、特別景品として「ハワイ旅行のチケット」を用いて説明したが、これらに限定するものではなく、種々の態様に変更することも可能である。例えば、特別景品として「ジャンパーなどの衣類」や「自動車」、「コンサートチケット」等、様々なものを特別景品として提供することが可能である。
そして、通常景品として提供されるものは、自動販売機１において提供可能なものであればよく、当該自動販売機１で販売対象となっている商品である必要はない。例えば、自動販売機内部に、販売対象である商品が格納されるコラムとは別に、通常景品のみが収納される収納部を形成し、通常当選した場合には当該収納部から通常景品を提供するように構成しても良い。
【００７３】
そして、本実施形態においては、利用者に、液晶ディスプレイ５に表示された２次元コードに基づく個人データ入力サイトへのアクセスと、サイトにおける個人データの入力を要求する構成であったが、この態様に限定するものではない。例えば、液晶ディスプレイ５に特定のメールアドレスを表示し、当該メールアドレスに個人データを入力した電子メールの送信を要求しても良い。
そして、上述のように、個人データ入力サイトや電子メールにより、個人データを直接、サーバ８０に入力する態様であったが、間接的にサーバ８０に入力する態様であっても良い、例えば、自動販売機１に赤外線通信手段を備え、携帯電話１５０にも赤外線通信手段を有する構成としてもよい。この場合、携帯電話１５０で入力された個人データは一時的に自動販売機１に記憶され、その後、自動販売機１とサーバ８０との間で行われる通信処理により、サーバ８０の個人データ記憶領域８７に対して記憶される態様であっても良い。
【００７４】
又、本実施形態においては、自動販売機１に記憶されている２次元コードを表示する態様によって、個人情報の入力を促すように構成されていたが、この態様に限定するものではなく、個人情報を入力するための情報（ＵＲＬ、メールアドレス等）をサーバから送信されるデータに基づいて報知するように構成してもよい。例えば、特別当選情報を受信したサーバから、特別当選表示表示指令とともに、２次元コードを含む特別当選表示に用いられる画像データが送信されるように構成することにより、設置環境や販売対象が多様な自動販売機１において、販売対象に応じた景品提供サービスを行うことが可能となる。
【００７５】
そして、本実施形態においては、缶飲料を購入した場合には、必ず景品抽選処理（Ｓ３）を実行するように構成していたが、景品抽選処理の実行に関して条件を設定することも可能である。例えば、ある特定の商品を購入した場合に景品抽選処理（Ｓ３）を実行するように構成することもできる。これにより、ある特定商品に対して、特別景品を提供することが可能となり、販売対象の商品種類が変更されることも多い自動販売機において、販売対象品を提供するメーカが、景品を提供するサービスを行うことが可能となる。特に、新商品や人気のある商品種類に対しても、景品の提供を行うことができるので、新商品や人気商品の購買意欲を惹起することが可能となるので、自動販売機１の人気を向上させることができる。
又、販売に応じて景品抽選処理（Ｓ３）を実行する特定商品を複数設定することも可能である。この場合に、特定商品ごとに、抽選手段（例えば、本実施形態における抽選テーブル）を設定し、特別当選情報に購入した商品を示す情報を含ませることにより、特定商品ごとに異なる特別景品を提供することも可能となる。
【図面の簡単な説明】
【００７６】
【図１】本実施形態に係る景品抽選システムのシステムブロック図である。
【図２】本実施形態に係る景品抽選システムを構成する自動販売機の斜視図である。
【図３】本実施形態に係る自動販売機の制御系を示すブロック図である。
【図４】本実施形態に係る景品抽選システムを構成するサーバのブロック図である。
【図５】本実施形態に係るサーバの特別景品ＤＢを模式的に示す説明図である。
【図６】本実施形態に係る自動販売機のメイン処理プログラムのフローチャートである。
【図７】本実施形態に係る自動販売機の景品抽選テーブルの説明図である。
【図８】本実施形態に係る景品抽選システムの特別当選処理プログラムのフローチャートである。
【図９】自動販売機の液晶ディスプレイに表示される特別当選表示の表示例を示す説明図である。
【図１０】特別当選表示に表示された２次元コードの取得に関する説明図である。
【図１１】個人データを入力する際に使用する携帯電話を折り畳んだ状態で示す外観斜視図である。
【図１２】携帯電話を開いた状態で示す外観斜視図である。
【図１３】携帯電話の制御系を示すブロック図である。
【図１４】個人データの送受信する通信処理プログラムのフローチャートである。
【図１５】携帯電話における個人データ入力サイトの表示例を示す説明図である。（ａ）は、個人データ入力前の状態を示し、（ｂ）は個人データ入力後の状態を示す。
【符号の説明】
【００７７】
１          自動販売機
５          液晶ディスプレイ
７          商品選択ボタン
２０        主制御部
３４        販売制御部
３６        通信制御部
４５        景品抽選部
８０        サーバ
８１        サーバＣＰＵ
８３        サーバ通信制御部
１００      景品抽選システム
【図１】
2006318227.tif 000003
【図２】
2006318227.tif 000004
【図３】
2006318227.tif 000005
【図４】
2006318227.tif 000006
【図５】
2006318227.tif 000007
【図６】
2006318227.tif 000008
【図７】
2006318227.tif 000009
【図８】
2006318227.tif 000010
【図９】
2006318227.tif 000011
【図１０】
2006318227.tif 000012
【図１１】
2006318227.tif 000013
【図１２】
2006318227.tif 000014
【図１３】
2006318227.tif 000015
【図１４】
2006318227.tif 000016
【図１５】
2006318227.tif 000017